(57)【要約】【課題】エレベータが備えられた建築物において断水が発生した場合に、給水作業に必要な労力と時間とを大幅に軽減させることができる給水装置を得る。【解決手段】一端部がエレベータが備えられた建築物２の第１所定階に設けられ、エレベータの昇降路１を通って第１所定階から階下に延設された給水手段１１と、第１所定階で給水手段１１の一端部に接続されることにより、内部に溜められた水を、給水手段１１を介して第１所定階よりも階下に供給する断水時給水タンク１０とを備えるとともに、上記断水時給水タンク１０を、給水手段１１の一端部から取り外すことにより、第１所定階と建築物２の外部に搬出可能な第２所定階との間を、エレベータを使用して運搬可能に構成する。【選択図】図２
2008190161.tif 000002
【特許請求の範囲】
【請求項１】
エレベータが備えられた建築物の第１所定階に一端部が設けられ、前記エレベータの昇降路を通って前記第１所定階から階下に延設された給水手段と、
前記第１所定階で前記給水手段の一端部に接続されることにより、内部に溜められた水を、前記給水手段を介して前記第１所定階よりも階下に供給する断水時給水タンクと、
を備え、
前記断水時給水タンクは、前記給水手段の一端部から取り外されることにより、前記第１所定階と前記建築物の外部に搬出可能な第２所定階との間を、前記エレベータを使用して運搬可能なことを特徴とする給水装置。
【請求項２】
給水手段は、
一端部が断水時給水タンクに接続される断水時給水管と、
上端部が前記断水時給水管に接続され、エレベータの昇降体及び固定機器に干渉しないように、昇降路内で前記断水時給水管から下方に延設された上下給水管と、
前記上下給水管から分岐された分岐管に接続され、第１所定階よりも階下のエレベータ乗場に設けられた水栓と、
を備えたことを特徴とする請求項１に記載の給水装置。
【請求項３】
建築物の上部に設けられた通常時給水タンクと、
一端部が前記通常時給水タンクに接続された通常時給水管と、
を備え、
給水手段は、
一端部が断水時給水タンクに接続される断水時給水管と、
エレベータの昇降体及び固定機器に干渉しないように、昇降路内で上下方向に配置された上下給水管と、
前記通常時給水管及び前記断水時給水管、前記上下給水管に接続され、前記上下給水管への水の供給元を前記通常時給水タンク又は前記断水時給水タンクに切り換える切換バルブと、
前記上下給水管から分岐された分岐管に接続され、第１所定階よりも階下の住居内に設けられた水栓と、
を備えたことを特徴とする請求項１に記載の給水装置。
【請求項４】
上下給水管は、少なくともその一部が水平方向に変位自在であることを特徴とする請求項２又は請求項３に記載の給水装置。
【発明の詳細な説明】
【技術分野】
【０００１】
この発明は、エレベータを利用した給水装置に関するものである。
【背景技術】
【０００２】
断水や停電といったライフラインの被害は、災害や予期せぬ事故等によって発生する。このようなライフラインの被害のうち、断水と停電とが同時に発生すると、一般に、停電が解消されるよりも断水が解消される方が長い期間が必要となる。例えば、１９９５年１月１７日に発生した阪神淡路大震災では、震度７を観測した兵庫県芦屋市で、電気は地震発生から５日後の１月２２日に市内全域において応急復旧したのに対し、水道は、市内全域で応急復旧するまでに１ヶ月以上の期間を要している。
【０００３】
また、集合住宅の住人は、地震等によって断水が発生すると、給水を受けた際に水が入った容器を自宅のあるフロアまで運搬する必要がある。この時、エレベータの使用が可能であれば、容器の運搬に要する労力をある程度軽減させることが可能であるが、給水時間等が制限されている場合には、エレベータが混雑し、給水作業に多大な時間を費やしてしまう。特に、高層住宅の場合には、昇降に時間が掛かるとともに、建物全体の戸数も多いことから影響が大きい。また、一人暮らしの住人は、仕事等の都合によっては給水時間に間に合わず、給水を受けることができない場合も想定される。かかる場合には、生活水の確保が困難になるといった問題も発生し得る。
【０００４】
このように、断水は、大規模災害の場合に限らずとも長期間継続する可能性が高く、また、断水中の給水作業には多大な労力と時間とが必要となってしまう。
【０００５】
なお、エレベータを利用した給水装置の従来技術として、エレベータと給水装置のモータ及び制御装置を兼用させて、設備費用の低減を図ったものが提案されている（例えば、特許文献１参照）。
【０００６】
【特許文献１】特開２００２−３０９６３２号公報
【発明の開示】
【発明が解決しようとする課題】
【０００７】
地震等によって水道管の断裂等が発生して断水している場合、集合住宅への送水は停止されている。このため、給水装置のモータを駆動して揚水ポンプを動作させても、集合住宅の上部に設置された給水タンクに水を供給することはできない。したがって、特許文献１記載のものでは、上記問題を解決することはできなかった。
【０００８】
この発明は、上述のような課題を解決するためになされたもので、その目的は、エレベータが備えられた建築物において断水が発生した場合に、給水作業に必要な労力と時間とを大幅に軽減させることができる給水装置を提供することである。
【課題を解決するための手段】
【０００９】
この発明に係る給水装置は、エレベータが備えられた建築物の第１所定階に一端部が設けられ、エレベータの昇降路を通って第１所定階から階下に延設された給水手段と、第１所定階で給水手段の一端部に接続されることにより、内部に溜められた水を、給水手段を介して第１所定階よりも階下に供給する断水時給水タンクと、を備え、断水時給水タンクは、給水手段の一端部から取り外されることにより、第１所定階と建築物の外部に搬出可能な第２所定階との間を、エレベータを使用して運搬可能なものである。
【発明の効果】
【００１０】
この発明によれば、エレベータが備えられた建築物において断水が発生した場合に、給水作業に必要な労力と時間とを大幅に軽減させることができる。
【発明を実施するための最良の形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１における給水装置の要部を示す平面図、図２はこの発明の実施の形態１における給水装置を示す側面図であり、エレベータを利用した給水装置を示したものである。なお、図１は図２のＡ−Ａ矢視図に相当する。
【００１３】
図１及び図２において、１は集合住宅等の建築物２に設置されたエレベータの昇降路であり、建築物２の各階床の乗場３とは乗場出入口４を介して通じている。５は昇降路１内を昇降するかご、６は昇降路１内に立設された一対のかご用ガイドレール、７はかご５とは逆方向に昇降路１内を昇降する釣合い重り、８は各乗場３に設けられ、乗場出入口４を開閉する乗場ドア装置、９は昇降路１と乗場３とを隔てる乗場建築壁である。
【００１４】
また、上記エレベータが停止する階床のうち最上階（実施の形態１における第１所定階）の乗場３ａには、断水時給水タンク１０が設けられている。この断水時給水タンク１０は、断水時に、内部に溜められた水を、上記最上階及び後述の給水手段１１を介して最上階よりも階下に供給するためのものである。
【００１５】
上記給水手段１１は、一端部が最上階の乗場３ａに設けられるとともに、昇降路１内を通って、最上階から階下に延設されている。そして、給水手段１１は、最上階において一端部に断水時給水タンク１０が接続されることにより、断水時給水タンク１０内に溜められた水を、最上階よりも階下の所定場所、例えば、各階の共同給水場所となる各乗場３に供給する。
【００１６】
ここで、上記給水手段１１は、各種部品によって構成され、例えば、断水時給水管からなる上部Ｌ字管１２、上下給水管１３、水栓１４、分岐管１５、圧力調整弁１６、下部Ｌ字管１７等によって構成される。上記上部Ｌ字管１２は、断水時、一端部に断水時給水タンク１０が接続されるものであり、最上階の乗場３ａに設けられるとともに、一端部が乗場建築壁９或いは乗場三方枠から乗場３ａ側に突出し、他端部が昇降路１内に突出するように配置される。また、上記上下給水管１３は、上端部が上部Ｌ字管１２の他端部に接続されるとともに、昇降路１内で上部Ｌ字管１２の他端部から下方に向かって延設され、その長手が上下方向に配置される。そして、水栓１４は、上下給水管１３から分岐された分岐管１５及び上下給水管１３の下端部に接続された下部Ｌ字管１７に、それぞれ圧力調整弁１６を介して接続され、最上階よりも階下の乗場３に設置される。
【００１７】
また、上記構成の給水手段１１のうち昇降路１内に設けられた部分は、かご５や釣合い重り７等のエレベータ昇降体、及び、昇降路１内に固定された制御盤（図示せず）等のエレベータ固定機器類と干渉することがないように、昇降路１内の空きスペース内に、乗場３側に寄って配置されている。
【００１８】
なお、上記圧力調整弁１６が設けられていない場合、断水時給水タンク１０と各水栓１４との高低差の違いによって、各水栓１４から吐出される水の勢いに違いが生じてしまう。圧力調整弁１６は、かかる不具合を解消するために接続されており、各乗場３に設けられた水栓１４からの水の吐出圧がほぼ均一となるように調整されている。また、上記においては、水栓１４を乗場建築壁９等から乗場３側に突出させた場合について説明したが、断水時以外に水栓１４が使用されることはないため、水栓１４を目立たないように設置して、例えば、開閉扉（図示せず）が設けられたボックス内や乗場建築壁９内、或いは乗場三方枠内に収容するように構成しても良い。かかる場合には、悪戯や悪戯による損傷等を防止することが可能となる。
【００１９】
また、上記断水時給水タンク１０は、上部Ｌ字管１２の一端部に着脱自在に接続され、上部Ｌ字管１２の一端部から取り外されることにより、最上階と断水時給水タンク１０を建築物２の外部に搬出することが可能な所定階（例えば、ロビー階）との間を、上記エレベータを使用して運搬することができるように構成されている。即ち、断水時給水タンク１０は、上記運搬が可能なように、その大きさ、重量、貯水量等が設定されている。なお、１８は最上階の住人が断水時給水タンク１０から直接給水するための水栓、１９は断水時給水タンク１０の下部に設けられ、その先端部が上部Ｌ字管１２の一端部に着脱自在に接続されるホース、２０は断水時給水タンク１０の下部に設けられた移動用のコロである。
【００２０】
そして、上記構成を有する給水装置を利用して、断水時に集合住宅（建築物２）の住人が給水を受ける場合には、先ず、断水時給水タンク１０をエレベータを使用して建築物２から屋外に移動させ、給水所において断水時給水タンク１０で給水を受ける。次に、水の入った断水時給水タンク１０を建築物２内に移動させ、エレベータを利用して最上階に運搬する。そして、最上階の乗場３ａにおいて、ホース１９を上部Ｌ字管１２の一端部に連結し、給水手段１１を介して階下に水を供給する。このようにすれば、断水時であっても、最上階の住人は水栓１８から、また階下の住人は水栓１４から給水することが可能となる。
【００２１】
この発明の実施の形態１によれば、エレベータが備えられた集合住宅等の建築物２において断水が発生した場合でも、給水作業に必要な労力と時間とを大幅に軽減させることが可能となる。即ち、断水時、従来のように集合住宅の各住人がそれぞれ給水用容器２１を持参して屋外の給水所に出向く必要がなく、エレベータの混雑を解消させることが可能となる。また、例えば、住人同士で、断水時給水タンク１０による給水作業を日毎に分担することにより、給水作業の頻度を少なくし、負担を大幅に軽減させることも可能である。したがって、一人暮らし等で給水時間に間に合わなかったり、給水時間に都合が悪かったために給水を受けられなかったりすることもなく、従来のように生活水の確保が困難になるといった問題も解消される。
【００２２】
また、エレベータ昇降路１は建築物２の上下に渡って形成されるため、給水手段１１の設置も容易であり、据付期間やコストを大幅に削減させることができる。また、既に建設されている建築物２に対しても容易に対応することが可能である。
【００２３】
なお、上記断水時給水タンク１０は、入手しやすい汎用品を利用しても良いが、エレベータの最大容量を超えない範囲でなるべく大型にするとともに、屋外での移動やかご５への搬入等を考慮して、図２に示すようにコロ２０が設けられた専用品を準備した方が良い。かかる場合には、貯水量を十分に確保でき且つ運搬作業が容易となるため、断水時の利便性が大幅に向上する。また、専用品を準備しておくことにより、広域断水が発生した場合であっても断水時給水タンク１０として使用する汎用品の入手が困難になるといったことも防止できる。
【００２４】
また、実施の形態１においては、断水時給水タンク１０がエレベータの停止し得る最上階の乗場３ａに設けられ、最下階までの各乗場３に水栓１４が設置された場合について説明したが、断水時給水タンク１０が設置される階は特に最上階の乗場３ａに限るものではない。また、水栓１４が不要な乗場３には水栓１４を設置する必要もない。なお、図１及び図２においては、水栓１４を通常の蛇口の形状として表現したが、給水を受けることができるものであれば如何なるものでも良く、水栓１４は、別部品を接続することによって初めて給水が可能となる他の手段等であっても構わない。
【００２５】
実施の形態２．
図３はこの発明の実施の形態２における給水装置を示す側面図である。図３において、給水手段１１は、例えば、上部Ｌ字管１２、フレキシブル上下給水管２２、水栓１４、分岐管１５、圧力調整弁１６、下部Ｌ字管１７等によって構成される。即ち、実施の形態１における上下給水管１３の代わりにフレキシブル上下給水管２２が使用されている。上記フレキシブル上下給水管２２はその長手が上下方向に配置されるとともに、水平方向に変位自在に構成されている。
【００２６】
したがって、地震が発生することにより上下階床間寸法が変化した、即ち、上下階床間に相対変位が生じた場合には、フレキシブル上下給水管２２が上記相対変位に合わせて変形する。このため、地震によって給水手段１１が損傷を受けることもなく、給水装置の機能を地震後も確実に維持させることが可能となる。
【００２７】
実施の形態３．
図４はこの発明の実施の形態３における給水装置を示す側面図である。図４において、２３は建築物２の上部に設けられ、通常時に使用される通常時給水タンク、２４は一端部が通常時給水タンク２３に接続されるとともに、建築物２の天井部から昇降路１内に下方に向かって延設された通常時給水管である。２５は上下給水管１３への水の供給元を上記通常時給水タンク２３又は断水時給水タンク１０に切り換える切換バルブである。この切換バルブ２５は、通常時給水管２４の下端部、最上階の乗場３ａに設けられた断水時給水管２６の他端部、上下給水管１３の上端部に接続されている。
【００２８】
上記構成の給水装置では、断水時のみならず通常時においても、その一部がエレベータの昇降路１内部に配置された給水手段１１を介して、各住居２７に水が供給される。このため、上下給水管１３から分岐された分岐管１５と上下給水管１３の下端部に接続された下部Ｌ字管１７とにそれぞれ接続された水栓２８は、最上階よりも階下の住居２７内にそれぞれ設けられている。
【００２９】
そして、通常時には、上記切換バルブ２５が、給水元として通常時給水タンク２３を選択するように切り換えられており、通常時給水管２４及び給水手段１１を介して各住居２７に水が供給される。一方、地震等が発生して断水した場合には、通常時給水タンク２３への水の供給が停止される。したがって、かかる場合には、断水時給水タンク１０を建築物２外部に運搬して給水を受けるとともに、エレベータを使用して断水時給水タンク１０を最上階の乗場３ａに運搬し、ホース１９を断水時給水管２６に接続する。そして、切換バルブ２５を、給水元として断水時給水タンク１０を選択するように切り換え、各住居２７に、給水手段１１を介して断水時給水タンク１０内の水を供給する。なお、断水が解消された場合には、切換バルブ２５を元の状態に戻し、各住居２７に通常時給水タンク２３内の水を供給するようにする。
【００３０】
この発明の実施の形態３によれば、給水手段１１を通常時及び断水時に使用することができ、建築物２の給水機構全体を簡素化させることができる。なお、その他は実施の形態１又は２と同様の構成及び効果を有する。
【図面の簡単な説明】
【００３１】
【図１】この発明の実施の形態１における給水装置の要部を示す平面図である。
【図２】この発明の実施の形態１における給水装置を示す側面図である。
【図３】この発明の実施の形態２における給水装置を示す側面図である。
【図４】この発明の実施の形態３における給水装置を示す側面図である。
【符号の説明】
【００３２】
１  昇降路
２  建築物
３、３ａ  乗場
４  乗場出入口
５  かご
６  かご用ガイドレール
７  釣合い重り
８  乗場ドア装置
９  乗場建築壁
１０  断水時給水タンク
１１  給水手段
１２  上部Ｌ字管
１３  上下給水管
１４、１８、２８  水栓
１５  分岐管
１６  圧力調整弁
１７  下部Ｌ字管
１９  ホース
２０  コロ
２１  給水用容器
２２  フレキシブル上下給水管
２３  通常時給水タンク
２４  通常時給水管
２５  切換バルブ
２６  断水時給水管
２７  住居
【図１】
2008190161.tif 000003
【図２】
2008190161.tif 000004
【図３】
2008190161.tif 000005
【図４】
2008190161.tif 000006